(57)【要約】送受信アンテナ間の隔離が不十分なことによって引き起こされた帰還信号を除去し、送信出力が増加できる同一チャネル中継装置（オンチャネルリピータ）を提供する。ＲＦ信号を受信して基底帯域の信号に変換する受信手段と、受信手段の出力信号から帰還信号のレプリカを減算する減算手段と、減算手段の出力信号に基づいて受信チャネルの逆（ｉｎｖｅｒｓｅ、伝達関数の逆関数）を推定して第１フィルタタップ係数ベクターを生成する逆チャネル推定手段と、第１フィルタタップ係数ベクターを用いて減算手段の出力信号のチャネル歪曲を補償する第１適応フィルタリング手段と、補償された信号をＲＦ信号に変換して無線伝送する伝送手段と、ＲＦ信号を基底帯域に下向き変換する下向き変換手段と、基底帯域信号及び減算手段の出力信号に基づいてレプリカを算出して減算手段にフィードバックするレプリカ生成手段とを備える。 【選択図】図８
2010534439.tif 000002
【特許請求の範囲】
【請求項１】
同一チャネル中継装置において、
ＲＦ信号を受信して基底帯域の信号に変換する受信手段と、
前記受信手段によって受信された信号から帰還信号のレプリカを減算する減算手段と、
前記減算手段から出力された信号に基づいて受信チャネルの逆（ｉｎｖｅｒｓｅ）を推定して第１フィルタタップ係数ベクターを生成する逆チャネル推定手段と、
前記逆チャネル推定手段によって生成された前記第１フィルタタップ係数ベクターを用いて、前記減算手段から出力された信号のチャネル歪曲を補償する第１適応フィルタリング手段と、
前記第１適応フィルタリング手段によってチャネル歪曲が補償された信号をＲＦ信号に変換して無線伝送する伝送手段と、
前記伝送手段によって変換されたＲＦ信号を前記基底帯域に下向き変換する下向き変換手段と、
前記下向き変換手段によって変換された基底帯域信号および前記減算手段から出力された信号に基づいて前記レプリカを算出して前記減算手段にフィードバックするレプリカ生成手段と、
を備えることを特徴とする同一チャネル中継装置。
【請求項２】
前記レプリカ生成手段が、
時間インデックスｎで前記下向き変換手段によって変換された基底帯域信号、時間インデックスｎで前記減算手段によって減算された信号、および時間インデックス（ｎ−１）での第２フィルタタップ係数ベクターを用いて時間インデックスｎでの第２フィルタタップ係数ベクターを算出するフィルタ係数生成部と、
前記時間インデックスｎでの第２フィルタタップ係数ベクターおよび前記下向き変換手段によって変換された基底帯域信号に基づいて前記レプリカを算出する第２適応フィルタリング部と、
を備えることを特徴とする請求項１に記載の同一チャネル中継装置。
【請求項３】
前記フィルタ係数生成部が、ＬＭＳ（Ｌｅａｓｔ  Ｍｅａｎ  Ｓｑｕａｒｅ）アルゴリズムに基づいて前記第２フィルタタップ係数ベクターを算出することを特徴とする請求項２に記載の同一チャネル中継装置。
【請求項４】
前記フィルタ係数生成部が、下記［式２］により前記時間インデックスｎでの第２フィルタタップ係数ベクター
2010534439.tif 000012
を算出することを特徴とする請求項３に記載の同一チャネル中継装置。
［式２］
2010534439.tif 000013
ここで、
2010534439.tif 000014
は、時間インデックスｎで前記下向き変換手段によって基底帯域に下向き変換された信号ベクター、ε（ｎ）は、時間インデックスｎで前記減算手段から出力された信号、λは、収束速度を決定する定数、Ｍは、第２フィルタタップ数であり、Ｔは転置（ｔｒａｎｓｐｏｓｅ）、＊は複素共役（ｃｏｍｐｌｅｘ  ｃｏｎｊｕｇａｔｅ）を意味する。
【請求項５】
前記第２適応フィルタリング部が、下記［式３］により前記レプリカ（ｆｂ（ｎ））を算出することを特徴とする請求項４に記載の同一チャネル中継装置。
［式３］
2010534439.tif 000015
【請求項６】
前記減算手段が、下記［式４］により前記受信手段によって変換された基底帯域信号から前記レプリカを減算することを特徴とする請求項５に記載の同一チャネル中継装置。
［式４］
ε（ｎ＋１）＝ｒ（ｎ）−ｆｂ（ｎ）
ここで、ｒ（ｎ）は、時間インデックスｎで前記受信手段によって変換された基底帯域信号、ε（ｎ＋１）は、時間インデックス（ｎ＋１）で前記減算手段から出力された信号である。
【請求項７】
前記逆チャネル推定手段が、
前記減算手段から出力された信号を復調する復調手段と、
前記復調手段によって復調された信号に基づいて、同一チャネル中継装置の受信チャネルのチャネル歪曲を推定するチャネル推定手段と、
前記チャネル推定手段によって推定されたチャネル歪曲を用いて受信チャネルの逆を計算し、前記計算された受信チャネルの逆を用いて第１フィルタタップ係数ベクターを生成する変換手段と
を備えることを特徴とする請求項１に記載の同一チャネル中継装置。
【請求項８】
前記復調手段が、
前記減算手段によって減算された信号の保護区間を除去する保護区間除去手段と、
前記保護区間除去手段によって保護区間が除去された信号を並列信号に変換する直並列変換手段と、
前記直並列変換手段によって変換された並列信号を周波数領域に変換する高速フーリエ変換手段と、
を備えることを特徴とする請求項７に記載の同一チャネル中継装置。
【請求項９】
前記チャネル推定手段が、
前記復調手段によって復調された信号からパイロット信号を抽出するパイロット抽出手段と、
あらかじめ定められた所定のパイロット信号を保存するパイロット保存手段と、
前記パイロット抽出手段から抽出されたパイロット信号および前記パイロット保存手段に保存されたパイロット信号を比較して、前記チャネル歪曲を推定するチャネル歪曲推定手段と、
を備えることを特徴とする請求項７に記載の同一チャネル中継装置。
【請求項１０】
前記変換手段が、
前記チャネル推定手段によって推定されたチャネル歪曲に基づいて受信チャネルの逆を生成する逆変換手段と、
前記逆変換手段によって生成された受信チャネルの逆を時間領域の第１フィルタタップ係数に変換する時間領域変換手段と、
を備えることを特徴とする請求項７に記載の同一チャネル中継装置。
【請求項１１】
前記下向き変換手段が、
前記伝送手段によって変換されたＲＦ信号を中間周波数帯域の信号に下向き変換する第２中間周波数帯域下向き変換部と、
前記第２中間周波数帯域下向き変換部によって前記中間周波数帯域に変換された信号をデジタルＩＦ信号に変換する第２アナログ−デジタル変換手段と、
前記第２アナログ−デジタル変換手段によって変換されたデジタルＩＦ信号を前記基底帯域信号に変換する第２基底帯域変換部と、
を備えることを特徴とする請求項１に記載の同一チャネル中継装置。
【請求項１２】
前記受信手段が、
ＲＦ信号を受信するＲＦ受信手段と、
前記ＲＦ受信手段によって受信されたＲＦ信号を中間周波数帯域に下向き変換する第１中間周波数下向き変換手段と、
前記第１中間周波数下向き変換手段によって変換された信号をデジタルＩＦ信号に変換する第１アナログ−デジタル変換手段と、
前記第１アナログ−デジタル変換手段によって変換されたデジタルＩＦ信号を基底帯域信号に変換する第１基底帯域変換手段と、
を備えることを特徴とする請求項１に記載の同一チャネル中継装置。
【請求項１３】
前記伝送手段が、
前記第１適応フィルタリング手段によってチャネル歪曲が補償された信号をデジタルＩＦ信号に変換する中間周波数上向き変換手段と、
前記中間周波数上向き変換手段によって変換されたデジタルＩＦ信号をアナログＩＦ信号に変換するデジタル−アナログ変換手段と、
前記デジタル−アナログ変換手段によって変換された信号をＲＦ信号に上向き変換するＲＦ上向き変換手段と、
前記ＲＦ上向き変換手段によって変換されたＲＦ信号を増幅する高電力増幅手段と、
を備えることを特徴とする請求項１に記載の同一チャネル中継装置。
【請求項１４】
同一チャネル中継方法において、
ＲＦ信号を受信して基底帯域の信号に変換する受信ステップと、
前記受信ステップによって受信された信号から帰還信号のレプリカを減算する減算ステップと、
前記減算ステップから出力された信号に基づいて受信チャネルの逆（ｉｎｖｅｒｓｅ）を推定して第１フィルタタップ係数ベクターを生成する逆チャネル推定ステップと、
前記逆チャネル推定ステップによって生成された前記第１フィルタタップ係数ベクターを用いて、前記減算ステップから出力された信号のチャネル歪曲を補償する第１適応フィルタリングステップと、
前記第１適応フィルタリングステップによってチャネル歪曲が補償された信号をＲＦ信号に変換して無線伝送する伝送ステップと、
前記伝送ステップによって変換されたＲＦ信号を前記基底帯域に下向き変換する下向き変換ステップと、を含み、
前記レプリカを、前記下向き変換ステップによって変換された基底帯域信号および前記減算ステップから出力された信号に基づいて算出し、前記減算ステップにフィードバックすることを特徴とする同一チャネル中継方法。
【請求項１５】
前記レプリカが、
時間インデックスｎで前記下向き変換ステップによって変換された基底帯域信号、時間インデックスｎで前記減算ステップによって減算された信号、および時間インデックス（ｎ−１）での第２フィルタタップ係数ベクターを用いて時間インデックスｎでの第２フィルタタップ係数ベクターを算出するフィルタ係数生成ステップと、
前記時間インデックスｎでの第２フィルタタップ係数ベクターおよび前記下向き変換ステップによって変換された基底帯域信号に基づいて前記レプリカを算出する第２適応フィルタリングステップと、
を含むことを特徴とする請求項１４に記載の同一チャネル中継方法。
【請求項１６】
前記フィルタ係数生成ステップが、ＬＭＳ（Ｌｅａｓｔ  Ｍｅａｎ  Ｓｑｕａｒｅ）アルゴリズムに基づいて前記第２フィルタタップ係数ベクターを算出することを特徴とする請求項１５に記載の同一チャネル中継方法。
【請求項１７】
前記フィルタ係数生成ステップが、下記［式２］により前記時間インデックスｎでの第２フィルタタップ係数ベクター
2010534439.tif 000016
を算出することを特徴とする請求項１６に記載の同一チャネル中継方法。
［式２］
2010534439.tif 000017
ここで、
2010534439.tif 000018
は、時間インデックスｎで前記下向き変換ステップによって基底帯域に下向き変換された信号ベクター、ε（ｎ）は、時間インデックスｎで前記減算ステップから出力された信号、λは、収束速度を決定する定数、Ｍは第２フィルタタップ数であり、Ｔは転置（ｔｒａｎｓｐｏｓｅ）、＊は複素共役（ｃｏｍｐｌｅｘ  ｃｏｎｊｕｇａｔｅ）を意味する。
【請求項１８】
前記第２適応フィルタリングステップが、下記［式３］により前記レプリカ（ｆｂ（ｎ））を算出することを特徴とする請求項１７に記載の同一チャネル中継方法。
［式３］
2010534439.tif 000019
【請求項１９】
前記減算ステップが、下記［式４］により前記受信ステップによって変換された基底帯域信号から前記レプリカを減算することを特徴とする請求項１８に記載の同一チャネル中継方法。
［式４］
ε（ｎ＋１）＝ｒ（ｎ）−ｆｂ（ｎ）
ここで、ｒ（ｎ）は、時間インデックスｎで前記受信ステップによって変換された基底帯域信号、ε（ｎ＋１）は、時間インデックスｎ＋１で前記減算ステップから出力された信号である。
【請求項２０】
前記逆チャネル推定ステップが、
前記減算ステップから出力された信号を復調する復調ステップと、
前記復調ステップによって復調された信号に基づいて、同一チャネル中継装置の受信チャネルのチャネル歪曲を推定するチャネル推定ステップと、
前記チャネル推定ステップによって推定されたチャネル歪曲を用いて受信チャネルの逆を計算し、前記計算された受信チャネルの逆を用いて第１フィルタタップ係数ベクターを生成する変換ステップと、
を含むことを特徴とする請求項１４に記載の同一チャネル中継方法。
【請求項２１】
前記復調ステップが、
前記減算ステップによって減算された信号の保護区間を除去する保護区間除去ステップと、
前記保護区間除去ステップによって保護区間が除去された信号を並列信号に変換する直並列変換ステップと、
前記直並列変換ステップによって変換された並列信号を周波数領域に変換する高速フーリエ変換ステップと、
を含むことを特徴とする請求項２０に記載の同一チャネル中継方法。
【請求項２２】
前記チャネル推定ステップが、
前記復調ステップによって復調された信号からパイロット信号を抽出するパイロット抽出ステップと、
あらかじめ定められた所定のパイロット信号を保存するパイロット保存ステップと、
前記パイロット抽出ステップから抽出されたパイロット信号および前記パイロット保存ステップに保存されたパイロット信号を比較して、前記チャネル歪曲を推定するチャネル歪曲推定ステップと、
を含むことを特徴とする請求項２０に記載の同一チャネル中継方法。
【請求項２３】
前記変換ステップが、
前記チャネル推定ステップによって推定されたチャネル歪曲に基づいて受信チャネルの逆を生成する逆変換ステップと、
前記逆変換ステップによって生成された受信チャネルの逆を時間領域の第１フィルタタップ係数に変換する時間領域変換ステップと、
を含むことを特徴とする請求項２０に記載の同一チャネル中継方法。
【請求項２４】
前記下向き変換ステップが、
前記伝送ステップによって変換されたＲＦ信号を中間周波数帯域の信号に下向き変換する第２中間周波数帯域下向き変換ステップと、
前記第２中間周波数帯域下向き変換ステップによって前記中間周波数帯域に変換された信号をデジタルＩＦ信号に変換する第２アナログ−デジタル変換ステップと、
前記第２アナログ−デジタル変換ステップによって変換されたデジタルＩＦ信号を前記基底帯域信号に変換する第２基底帯域変換ステップと、
を含むことを特徴とする請求項１４に記載の同一チャネル中継方法。
【請求項２５】
前記受信ステップが、
ＲＦ信号を受信するＲＦ受信ステップと、
前記ＲＦ受信ステップによって受信されたＲＦ信号を中間周波数帯域に下向き変換する第１中間周波数下向き変換ステップと、
前記第１中間周波数下向き変換ステップによって変換された信号をデジタルＩＦ信号に変換する第１アナログ−デジタル変換ステップと、
前記第１アナログ−デジタル変換ステップによって変換されたデジタルＩＦ信号を基底帯域信号に変換する第１基底帯域変換ステップと、
を含むことを特徴とする請求項１４記載の同一チャネル中継方法。
【請求項２６】
前記伝送ステップが、
前記第１適応フィルタリングステップによってチャネル歪曲が補償された信号をデジタルＩＦ信号に変換する中間周波数上向き変換ステップと、
前記中間周波数上向き変換ステップによって変換されたデジタルＩＦ信号をアナログＩＦ信号に変換するデジタル−アナログ変換ステップと、
前記デジタル−アナログ変換ステップによって変換された信号をＲＦ信号に上向き変換するＲＦ上向き変換ステップと、
前記ＲＦ上向き変換ステップによって変換されたＲＦ信号を増幅する高電力増幅ステップと、
を含むことを特徴とする請求項１４記載の同一チャネル中継方法。
【請求項２７】
同一チャネル中継装置において、
ＲＦ信号を受信して所定帯域の信号に変換する受信手段と、
前記受信手段によって受信された信号から帰還信号のレプリカを減算する減算手段と、
前記減算手段から出力された信号に基づいて受信チャネルの逆（ｉｎｖｅｒｓｅ）を推定して第１フィルタタップ係数ベクターを生成する逆チャネル推定手段と、
前記逆チャネル推定手段によって生成された前記第１フィルタタップ係数ベクターを用いて、前記減算手段から出力された信号のチャネル歪曲を補償する第１適応フィルタリング手段と、
前記第１適応フィルタリング手段によってチャネル歪曲が補償された信号をＲＦ信号に変換して無線伝送する伝送手段と、
前記伝送手段によって変換されたＲＦ信号を前記所定帯域に下向き変換する下向き変換手段と、
前記下向き変換手段によって変換された所定帯域信号および前記減算手段から出力された信号に基づいて前記レプリカを算出し、前記減算手段にフィードバックするレプリカ生成手段と、
を備えることを特徴とする同一チャネル中継装置。
【請求項２８】
前記レプリカ生成手段が、
時間インデックスｎで前記下向き変換手段によって変換された基底帯域信号、時間インデックスｎで前記減算手段によって減算された信号、および時間インデックス（ｎ−１）での第２フィルタタップ係数ベクターを用いて時間インデックスｎでの第２フィルタタップ係数ベクターを算出するフィルタ係数生成部と、
前記時間インデックスｎでの第２フィルタタップ係数ベクターおよび前記下向き変換手段によって変換された基底帯域信号に基づいて前記レプリカを算出する第２適応フィルタリング部と、
を備えることを特徴とする請求項２７に記載の同一チャネル中継装置。
【請求項２９】
前記フィルタ係数生成部が、ＬＭＳ（Ｌｅａｓｔ  Ｍｅａｎ  Ｓｑｕａｒｅ）アルゴリズムに基づいて前記第２フィルタタップ係数ベクターを算出することを特徴とする請求項２８に記載の同一チャネル中継装置。
【請求項３０】
前記フィルタ係数生成部が、下記［式２］により前記時間インデックスｎでの第２フィルタタップ係数ベクター
2010534439.tif 000020
を算出することを特徴とする請求項２９に記載の同一チャネル中継装置。
［式２］
2010534439.tif 000021
ここで
2010534439.tif 000022
は、時間インデックスｎで前記下向き変換手段によって基底帯域に下向き変換された信号ベクター、ε（ｎ）は、時間インデックスｎで前記減算手段から出力された信号、λは、収束速度を決定する定数、Ｍは、第２フィルタタップ数であり、Ｔは、転置（ｔｒａｎｓｐｏｓｅ）、＊は、複素共役（ｃｏｍｐｌｅｘ  ｃｏｎｊｕｇａｔｅ）を意味する。
【請求項３１】
前記第２適応フィルタリング部が、下記［式３］により前記レプリカ（ｆｂ（ｎ））を算出することを特徴とする請求項３０に記載の同一チャネル中継装置。
［式３］
2010534439.tif 000023
【請求項３２】
前記減算手段が、下記［式４］により前記受信手段によって変換された基底帯域信号から前記レプリカを減算することを特徴とする請求項３１に記載の同一チャネル中継装置。
［式４］
ε（ｎ＋１）＝ｒ（ｎ）−ｆｂ（ｎ）
ここで、ｒ（ｎ）は、時間インデックスｎで前記受信手段によって変換された基底帯域信号、ε（ｎ＋１）は、時間インデックス（ｎ＋１）で前記減算手段から出力された信号である。
【請求項３３】
前記逆チャネル推定手段が、
前記減算手段から出力された信号を復調する復調手段と、
前記復調手段によって復調された信号に基づいて、同一チャネル中継装置の受信チャネルのチャネル歪曲を推定するチャネル推定手段と、
前記チャネル推定手段によって推定されたチャネル歪曲を用いて受信チャネルの逆を計算し、前記計算された受信チャネルの逆を用いて第１フィルタタップ係数ベクターを生成する変換手段と、
を備えることを特徴とする請求項２７に記載の同一チャネル中継装置。
【請求項３４】
前記復調手段が、
前記減算手段によって減算された信号の保護区間を除去する保護区間除去手段と、
前記保護区間除去手段によって保護区間が除去された信号を並列信号に変換する直並列変換手段と、
前記直並列変換手段によって変換された並列信号を周波数領域に変換する高速フーリエ変換手段と、
を備えることを特徴とする請求項３３に記載の同一チャネル中継装置。
【請求項３５】
前記チャネル推定手段が、
前記復調手段によって復調された信号からパイロット信号を抽出するパイロット抽出手段と、
あらかじめ定められた所定のパイロット信号を保存するパイロット保存手段と、
前記パイロット抽出手段から抽出されたパイロット信号および前記パイロット保存手段に保存されたパイロット信号を比較して、前記チャネル歪曲を推定するチャネル歪曲推定手段と、
を備えることを特徴とする請求項３３に記載の含む同一チャネル中継装置。
【請求項３６】
前記変換手段が、
前記チャネル推定手段によって推定されたチャネル歪曲に基づいて受信チャネルの逆を生成する逆変換手段と、
前記逆変換手段によって生成された受信チャネルの逆を時間領域の第１フィルタタップ係数に変換する時間領域変換手段と、
を備えることを特徴とする請求項３３に記載の同一チャネル中継装置。
【請求項３７】
同一チャネル中継方法において、
ＲＦ信号を受信して所定帯域の信号に変換する受信ステップと、
前記受信ステップによって受信された信号から帰還信号のレプリカを減算する減算ステップと、
前記減算ステップから出力された信号に基づいて受信チャネルの逆（ｉｎｖｅｒｓｅ）を推定して第１フィルタタップ係数ベクターを生成する逆チャネル推定ステップと、
前記逆チャネル推定ステップによって生成された前記第１フィルタタップ係数ベクターを用いて、前記減算ステップから出力された信号のチャネル歪曲を補償する第１適応フィルタリングステップと、
前記第１適応フィルタリングステップによってチャネル歪曲が補償された信号をＲＦ信号に変換して無線伝送する伝送ステップと、
前記伝送ステップによって変換されたＲＦ信号を前記所定帯域に下向き変換する下向き変換ステップと、を含み、
前記レプリカを、前記下向き変換ステップによって変換された所定帯域信号および前記減算ステップから出力された信号に基づいて算出し、前記減算ステップにフィードバックすることを特徴とする同一チャネル中継方法。
【請求項３８】
前記レプリカが、
時間インデックスｎで前記下向き変換ステップによって変換された基底帯域信号、時間インデックスｎで前記減算ステップによって減算された信号、および時間インデックス（ｎ−１）での第２フィルタタップ係数ベクターを用いて時間インデックスｎでの第２フィルタタップ係数ベクターを算出するフィルタ係数生成ステップと、
前記時間インデックスｎでの第２フィルタタップ係数ベクターおよび前記下向き変換ステップによって変換された基底帯域信号に基づいて前記レプリカを算出する第２適応フィルタリングステップと、
を含むことを特徴とする請求項３７に記載の同一チャネル中継方法。
【請求項３９】
前記フィルタ係数生成ステップが、ＬＭＳ（Ｌｅａｓｔ  Ｍｅａｎ  Ｓｑｕａｒｅ）アルゴリズムに基づいて前記第２フィルタタップ係数ベクターを算出することを特徴とする請求項３８に記載の同一チャネル中継方法。
【請求項４０】
前記フィルタ係数生成ステップが、下記［式２］により前記時間インデックスｎでの第２フィルタタップ係数ベクター
2010534439.tif 000024
を算出することを特徴とする請求項３９に記載の同一チャネル中継方法。
［式２］
2010534439.tif 000025
ここで、
2010534439.tif 000026
は、時間インデックスｎで前記下向き変換ステップによって基底帯域に下向き変換された信号ベクター、ε（ｎ）は、時間インデックスｎで前記減算ステップから出力された信号、λは、収束速度を決定する定数、Ｍは、第２フィルタタップ数であり、Ｔは、転置（ｔｒａｎｓｐｏｓｅ）、＊は、複素共役（ｃｏｍｐｌｅｘ  ｃｏｎｊｕｇａｔｅ）を意味する。
【請求項４１】
前記第２適応フィルタリングステップが、下記［式３］により前記レプリカ（ｆｂ（ｎ））を算出することを特徴とする請求項４０に記載の同一チャネル中継方法。
［式３］
2010534439.tif 000027
【請求項４２】
前記減算ステップが、下記［式４］により前記受信ステップによって変換された基底帯域信号から前記レプリカを減算することを特徴とする請求項４１に記載の同一チャネル中継方法。
［式４］
ε（ｎ＋１）＝ｒ（ｎ）−ｆｂ（ｎ）
ここで、ｒ（ｎ）は、時間インデックスで前記受信ステップによって変換された基底帯域信号、ε（ｎ＋１）は、時間インデックス（ｎ＋１）で前記減算ステップから出力された信号である。
【請求項４３】
前記逆チャネル推定ステップが、
前記減算ステップから出力された信号を復調する復調ステップと、
前記復調ステップによって復調された信号に基づいて、同一チャネル中継装置の受信チャネルのチャネル歪曲を推定するチャネル推定ステップと、
前記チャネル推定ステップによって推定されたチャネル歪曲を用いて受信チャネルの逆を計算し、前記計算された受信チャネルの逆を用いて第１フィルタタップ係数ベクターを生成する変換ステップと、
を含むことを特徴とする請求項３７に記載の同一チャネル中継方法。
【請求項４４】
前記復調ステップが、
前記減算ステップによって減算された信号の保護区間を除去する保護区間除去ステップと、
前記保護区間除去ステップによって保護区間が除去された信号を並列信号に変換する直並列変換ステップと、
前記直並列変換ステップによって変換された並列信号を周波数領域に変換する高速フーリエ変換ステップと、
を含むことを特徴とする請求項４３に記載の同一チャネル中継方法。
【請求項４５】
前記チャネル推定ステップが、
前記復調ステップによって復調された信号からパイロット信号を抽出するパイロット抽出ステップと、
あらかじめ定められた所定のパイロット信号を保存するパイロット保存ステップと、
前記パイロット抽出ステップから抽出されたパイロット信号および前記パイロット保存ステップに保存されたパイロット信号を比較して、前記チャネル歪曲を推定するチャネル歪曲推定ステップと、
を含むことを特徴とする請求項４３に記載の同一チャネル中継方法。
【請求項４６】
前記変換ステップが、
前記チャネル推定ステップによって推定されたチャネル歪曲に基づいて受信チャネル歪曲の逆を生成する逆変換ステップと、
前記逆変換ステップによって生成された受信チャネルの逆を時間領域の第１フィルタタップ係数に変換する時間領域変換ステップと、
を含むことを特徴とする請求項４３に記載の同一チャネル中継方法。
【発明の詳細な説明】
【技術分野】
【０００１】
本発明は同一チャネル中継装置（ｏｎ−ｃｈａｎｎｅｌ  ｒｅｐｅａｔｅｒ、オンチャネルリピータ）および同一チャネル中継方法に関するもので、詳細には、伝送されるＲＦ（Ｒａｄｉｏ  Ｆｒｅｑｕｅｎｃｙ）信号を所定帯域の信号に変換して、前記変換された信号から帰還信号（ｆｅｅｄｂａｃｋ  ｓｉｇｎａｌ）のレプリカ（ｒｅｐｌｉｃａ）を減算することによって送受信アンテナ間の隔離が不十分なこと（ｌｏｗ  ｉｓｏｌａｔｉｏｎ）によって引き起こされた帰還信号（ｆｅｅｄｂａｃｋ  ｓｉｇｎａｌ）を除去し、前記帰還信号が除去された信号から受信チャネルの逆（ｉｎｖｅｒｓｅ）を推定して受信信号のチャネル歪曲を補償することによって、入力信号と同一の出力信号を同一チャネルで中継する同一チャネル中継装置および同一チャネル中継方法に関するものである。
本発明は、情報通信部および情報通信研究振興院のＩＴ新成長動力核心技術開発事業（ＩＴ  Ｒ＆Ｄ  ｐｒｏｇｒａｍ  ｆｏｒ  ＭＩＣ／ＩＩＴＡ）の一環として行われた研究から導出されたものである［課題管理番号：２００７−Ｓ−００６−０１、課題名：ＯＦＤＭ変調方式に基づく同一チャネルＲＦ中継技術開発］。
【背景技術】
【０００２】
中継装置は、主送信機の信号が弱く受信される地域に設置して受信不安を解消し主送信機信号の伝送領域を広げるという役割をする。
図１は、従来の中継システムの構成図であって、中継装置相互間には互いに異なる周波数が用いられる。
図１に示したように、主送信機１０１は、周波数Ａの信号を送出し、各中継装置１０２〜１０５は、周波数Ａと異なる周波数Ｂ、Ｃ、Ｄ、Ｅの信号を中継する。このような従来の中継システムでは、各中継装置１０２〜１０５ごとに異なる周波数Ｂ、Ｃ、Ｄ、Ｅの信号が利用されている。すなわち、複数の周波数帯域が使用されるため、多くの周波数資源が必要になり、周波数の利用という観点からはかなり非効率的である。
【０００３】
図２は、また他の従来の中継システムの構成図であって、中継装置相互間に同一の周波数が用いられる。
すなわち、主送信機２０１は、周波数Ａの信号を送出し、各同一チャネル中継装置２０２〜２０５も周波数Ａで信号を中継する。このような同一チャネル中継が可能なためには主送信機２０１および同一チャネル中継装置２０２〜２０５から伝送される同一周波数の信号がそれぞれ識別されなければならない。
しかし、主送信機および中継装置から出力される、同一の周波数帯域の信号が互いに同一でない場合、このような信号は同一チャネル干渉信号として、各中継装置の等化器あるいは他の装置でも除去できない。
また、主送信機と同一チャネル中継装置から伝送される信号が所定基準以上の時間的遅延を有するようになると、等化器は前記遅延信号を除去できない。したがって、同一チャネルでの中継のためには同一チャネル中継装置の出力信号が主送信機の出力信号と同一でなければならず、且つ、二つの出力信号の時間遅延は小さくなければならない。
【０００４】
従来の同一チャネル中継装置の問題を図３ないし図７によって説明する。
図３は、従来のＲＦ増幅同一チャネル中継装置の図である。
同図に示したように、受信アンテナ３０１およびＲＦ送信部３０２は、主送信機から伝送されたＲＦ信号を受信し、ＲＦ帯域通過フィルタ３０３は、前記受信されたＲＦ信号から所定信号帯域のみ通過させ、高電力増幅部３０４は、前記帯域通過したＲＦ信号を増幅し、前記増幅されたＲＦ信号は、送信アンテナ３０５を介して同一チャネルで伝送される。
【０００５】
図４は、従来のＩＦ変換同一チャネル中継装置の図である。
同図に示したように、受信アンテナ４０１およびＲＦ受信部４０２は主送信機から伝送されたＲＦ信号を受信し、ＩＦ下向き変換部４０３は、局部発振部（Ｌｏｃａｌ  Ｏｓｃｉｌｌａｔｏｒ）ＬＯ、４０８から提供された基準周波数に基づいて前記受信されたＲＦ信号を中間周波数（ＩＦ）信号に変換し、ＩＦ帯域通過フィルタ４０４は、前記ＩＦ信号を所定帯域信号で帯域通過させ、ＲＦ上向き変換部４０５は、前記帯域通過されたＩＦ信号を局部発振部４０８から提供された基準周波数に基づいてＲＦ信号に変換し、高電力増幅部４０６は、前記ＲＦ信号を増幅し、前記増幅されたＲＦ信号は、送信アンテナ４０７を介して伝送される。
【０００６】
図５は、従来のＳＡＷフィルタ同一チャネル中継装置の図である。
同図に示したように、受信アンテナ５０１およびＲＦ受信部５０２は、主送信機から伝送されたＲＦ信号を受信し、ＩＦ下向き変換部５０３は、前記受信されたＲＦ信号を局部発振部５０８から提供された基準周波数に基づいてＩＦ信号に変換し、ＳＡＷフィルタ５０４は、前記ＩＦ信号を所定帯域信号で帯域通過させ、ＲＦ上向き変換部５０５は、前記帯域通過されたＩＦ信号を局部発振部５０８から提供された基準周波数に基づいてＲＦ信号に変換し、高電力増幅部５０６は、前記ＲＦ信号を増幅し、前記増幅されたＲＦ信号は、送信アンテナ５０７を介して伝送される。
【０００７】
図３ないし図５の同一チャネル中継装置は、主送信機と同一チャネル中継装置間の伝送路によって引き起こされた雑音および多重経路信号と、送受信アンテナ間の隔離が不十分なことによって引き起こされた帰還信号と、同一チャネル中継装置システムで加えられるシステムの雑音などを除去できないので、出力信号の特性が入力信号より劣悪である。また、送受信アンテナ間の隔離が不十分なことによって引き起こされた帰還信号のために同一チャネル中継装置送信の出力が制限されるという問題がある。
【０００８】
図６は、変復調過程を行う従来の同一チャネル中継装置の図である。
同図に示したように、受信アンテナ６０１およびＲＦ受信部６０２は、主送信機から伝送されたＲＦ信号を受信し、ＩＦ下向き変換部６０３は、前記受信されたＲＦ信号を局部発振部６１１から提供された基準周波数に基づいてＩＦ信号に変換し、復調部６０４は、前記ＩＦ信号を基底帯域信号に復調し、等化部およびＦＥＣ（Ｆｏｒｗａｒｄ  Ｅｒｒｏｒ  Ｃｏｒｒｅｃｔｉｏｎ）復号部６０５は、前記復調された基底帯域信号から、主送信機と同一チャネル中継装置間の伝送路によって引き起こされた雑音および多重経路信号、送受信アンテナ間の隔離が不十分なことによって引き起こされた帰還（ｆｅｅｄｂａｃｋ）信号などを除去し、ＦＥＣ符号化部６０６は、前記等化部およびＦＥＣ復号部６０５出力信号をエラー訂正符号化し、変調部６０７は、前記ＦＥＣ符号化された信号をＩＦ帯域の信号に変換し、ＲＦ上向き変換部６０８は、前記ＩＦ信号を局部発振部６１１から提供された基準周波数に基づいてＲＦ信号に変換し、高電力増幅部６０９は、前記ＲＦ信号を増幅し、前記増幅されたＲＦ信号は、送信アンテナ６１０を介して伝送される。
【０００９】
図６の同一チャネル中継装置は、等化部およびＦＥＣ復号部によって図３ないし図５に示された中継装置の問題点である多重経路および雑音除去能力を改善したが、ＦＥＣ符号化部および復号化部を備えているので、時間遅延を通常、マイクロ秒（ｍｉｃｒｏｓｅｃｏｎｄ）単位からミリ秒（ｍｉｌｌｉｓｅｃｏｎｄ）単位に増加させる。それだけでなく、ＦＥＣ符号化部の標準トレリス（Ｔｒｅｌｌｉｔｈ）符号器の曖昧性（ａｍｂｉｇｕｉｔｙ）により引き起こされた帰還信号が中継装置で除去できないことにより、送信出力が制限されるという問題がある。
【００１０】
図７は、従来技術であって、受信チャネルの歪曲を補償する同一チャネル中継装置の図である。
同図に示したように、ＲＦ受信部７０１は、主送信機から伝送されたＲＦ信号を受信し、下向き変換部７０２は、前記受信されたＲＦ信号を所定帯域の信号に変換する。逆チャネル推定部７０３は、前記変換された信号から、主送信機と中継装置間の伝送路において引き起こされた雑音および多重経路信号、送・受信アンテナ間の隔離が不十分なことによって引き起こされた帰還信号などによるチャネル歪曲が含まれる受信チャネルの逆を推定し、適応フィルタリング部（ａｄａｐｔｉｖｅ  ｆｉｌｔｅｒ）７０４は、推定された受信チャネルの逆を用いてチャネル歪曲を補償する。
上向き変換部７０５は、前記補償された信号をＲＦ信号に変換し、ＲＦ送信部７０６は前記変換されたＲＦ信号を送信する。
【００１１】
図７の同一チャネル中継装置では、帰還信号（中継装置送受信アンテナ間の隔離が不十分なことによって引き起こされる帰還信号）の電界強度が、主送信機から伝送された入力信号の電界強度より高い場合、適応フィルタリング部が歪曲信号を除去できないだけでなく、逆チャネル推定部が受信チャネルの逆を推定できず中継装置が誤作動するという限界がある。
このような従来技術で共通に存在する帰還信号除去能力の限界によって従来の同一チャネル中継システムは、既存の中継施設の活用度が低く、多額の投資を必要とする。
【００１２】
したがって、同一チャネル中継装置の出力信号が主送信機の出力信号と同一であり、二つの出力信号の時間遅延が小さく、主送信機と同一チャネル中継装置間の伝送路によって引き起こされた雑音および多重経路信号を除去することにより同一チャネル中継装置の出力信号の特性が同一チャネル中継装置の入力信号の特性より優秀であり、且つ、同一チャネル中継装置の送受信アンテナ間の隔離が不十分なことによって引き起こされる帰還信号を除去することにより同一チャネル中継装置の送信出力を増加できるので、活用度が高く所要投資額が小さい、そのような同一チャネル中継装置が要求される。
以下の本発明の説明を通じて、「受信チャネル」は、「主送信機から電波伝播空間を通じて当該同一チャネル中継装置の受信アンテナに至り、その受信アンテナを介してＲＦ受信部の出力に至る信号経路」を指し、「チャネル歪曲」は、上記の諸要因（主送信機と中継装置間の伝送路において引き起こされた雑音および多重経路信号、送・受信アンテナ間の隔離が不十分なことによって引き起こされた帰還信号など）による「受信チャネルの伝達関数の歪曲」を指し、「受信チャネルの逆（ｉｎｖｅｒｓｅ）」は、「受信チャネルの（歪曲された）伝達関数の逆（ｉｎｖｅｒｓｅ）関数」を指すものとする。
【発明の概要】
【発明が解決しようとする課題】
【００１３】
本発明は、前記要求に応じるために提案されたもので、伝送されるＲＦ信号を所定帯域の信号に変換し、前記変換された信号から帰還信号のレプリカを減算することによって送受信アンテナ間の隔離が不十分なことによって引き起こされた帰還信号を除去し、前記帰還信号が除去された信号から受信チャネルの逆を推定して受信信号のチャネル歪曲を補償することによって、入力信号と同一の出力信号を同一チャネルで中継する同一チャネル中継装置およびその方法に関するものである。
【課題を解決するための手段】
【００１４】
前記目的を達成するための本発明は、同一チャネル中継装置において、ＲＦ信号を受信して基底帯域の信号に変換する受信手段と、前記受信手段によって受信された信号から帰還信号のレプリカを減算する減算手段と、前記減算手段から出力された信号に基づいて受信チャネルの逆（ｉｎｖｅｒｓｅ）を推定して第１フィルタタップ係数ベクターを生成する逆チャネル推定手段と、前記逆チャネル推定手段によって生成された前記第１フィルタタップ係数ベクターを用いて、前記減算手段から出力された信号のチャネル歪曲を補償する第１適応フィルタリング手段と、前記第１適応フィルタリング手段によってチャネル歪曲が補償された信号をＲＦ信号に変換して無線伝送する伝送手段と、前記伝送手段によって変換されたＲＦ信号を前記基底帯域に下向き変換する下向き変換手段と、前記下向き変換手段によって変換された基底帯域信号および前記減算手段から出力された信号に基づいて前記レプリカを算出して前記減算手段にフィードバックするレプリカ生成手段とを備える。
【００１５】
また、前記目的を達成するための本発明は、同一チャネル中継方法において、ＲＦ信号を受信して基底帯域の信号に変換する受信ステップと、前記受信ステップによって受信された信号から帰還信号のレプリカを減算する減算ステップと、前記減算ステップから出力された信号に基づいて受信チャネルの逆（ｉｎｖｅｒｓｅ）を推定して第１フィルタタップ係数ベクターを生成する逆チャネル推定ステップと、前記逆チャネル推定ステップによって生成された前記第１フィルタタップ係数ベクターを用いて、前記減算ステップから出力された信号のチャネル歪曲を補償する第１適応フィルタリングステップと、前記第１適応フィルタリングステップによってチャネル歪曲が補償された信号をＲＦ信号に変換して無線伝送する伝送ステップと、前記伝送ステップによって変換されたＲＦ信号を前記基底帯域に下向き変換する下向き変換ステップとを含み、前記レプリカを、前記下向き変換ステップによって変換された基底帯域信号および前記減算ステップから出力された信号に基づいて算出し、前記減算ステップにフィードバックする同一チャネル中継方法である。
【００１６】
また、前記目的を達成するための本発明は、同一チャネル中継装置において、ＲＦ信号を受信して所定帯域の信号に変換する受信手段と、前記受信手段によって受信された信号から帰還信号のレプリカを減算する減算手段と、前記減算手段から出力された信号に基づいて受信チャネルの逆を推定して第１フィルタタップ係数ベクターを生成する逆チャネル推定手段と、前記逆チャネル推定手段によって生成された前記第１フィルタタップ係数ベクターを用いて前記減算手段から出力された信号のチャネル歪曲を補償する第１適応フィルタリング手段と、前記第１適応フィルタリング手段によってチャネル歪曲が補償された信号をＲＦ信号に変換して無線伝送する伝送手段と、前記伝送手段によって変換されたＲＦ信号を前記所定帯域に下向き変換する下向き変換手段と、前記下向き変換手段によって変換された所定帯域信号および前記減算手段から出力された信号に基づいて前記レプリカを算出し、前記減算手段にフィードバックするレプリカ生成手段とを備える。
【００１７】
また、前記目的を達成するための本発明は、同一チャネル中継方法において、ＲＦ信号を受信して所定帯域の信号に変換する受信ステップと、前記受信ステップによって受信された信号から帰還信号のレプリカを減算する減算ステップと、前記減算ステップから出力された信号に基づいて受信チャネルの逆を推定して第１フィルタタップ係数ベクターを生成する逆チャネル推定ステップと、前記逆チャネル推定ステップによって生成された前記第１フィルタタップ係数ベクターを用いて前記減算ステップから出力された信号のチャネル歪曲を補償する第１適応フィルタリングステップと、前記第１適応フィルタリングステップによってチャネル歪曲が補償された信号をＲＦ信号に変換して無線伝送する伝送ステップと、前記伝送ステップによって変換されたＲＦ信号を前記所定帯域に下向き変換する下向き変換ステップとを含み、前記レプリカを、前記下向き変換ステップによって変換された所定帯域信号および前記減算ステップから出力された信号に基づいて算出し、前記減算ステップにフィードバックする同一チャネル中継方法である。
【発明の効果】
【００１８】
前記したように本発明によれば同一中継装置の出力信号が、主送信機の出力信号と同一であり、主送信機の出力信号からの時間遅延が小さく、伝送チャネル上での歪曲を補正した信号を中継することによって、限定された周波数資源の利用効率を増大できるという効果がある。
【図面の簡単な説明】
【００１９】
【図１】相異する周波数を利用する従来の中継システムの図である。
【図２】同一の周波数を利用する従来の中継システムの図である。
【図３】従来のＲＦ増幅同一チャネル中継装置の図である。
【図４】従来のＩＦ変換同一チャネル中継装置の図である。
【図５】従来のＳＡＷフィルタ同一チャネル中継装置の図である。
【図６】変復調過程を行う従来同一チャネル中継装置の図である。
【図７】従来技術であって、受信チャネルの歪曲を補償する同一チャネル中継装置の図である。
【図８】本発明による同一チャネル中継装置の一実施形態の図である。
【図９】図８の同一チャネル中継装置で行われる中継方法を示すフローチャートである。
【図１０】図８の同一チャネル中継装置を表す詳細構成図である。
【図１１】図８の同一チャネル中継装置で行われる中継方法を詳細に示すフローチャートである。
【図１２】図８に示された逆チャネル推定部の詳細図である。
【図１３】図１２に示された復調部構成図として、ＤＶＢ−Ｔ  ＤＴＶ標準に適用できる一実施形態の図である。
【図１４】図１２に示されたチャネル推定部の図であって、ＤＶＢ−Ｔ  ＤＴＶ標準に適用できる一実施形態の図である。
【図１５】図１２に示された変換部の図でＤＶＢ−Ｔ  ＤＴＶ標準に適用できる一実施形態の図である。
【図１６】本発明による同一チャネル中継装置の他の実施形態の図である。
【発明を実施するための形態】
【００２０】
上述した目的、特徴および長所は添付された図と関連した後述の詳細な説明によってより明確になるだろう。以下、添付された図を参照して本発明による好ましい実施形態を詳細に説明する。
図８は、本発明による同一チャネル中継装置の一実施形態の図である。
同図に示したように、本発明による同一チャネル中継装置は、受信アンテナ８０１、ＲＦ受信部８０２、減算部８０３、レプリカ生成部８０４、逆チャネル推定部８０５、第１適応フィルタリング部８０６、ＲＦ伝送部８０７、下向き変換部８０８、送信アンテナ８０９を備える。
【００２１】
主送信機または他の中継装置から受信アンテナ８０１を介して受信されるＲＦ信号はＲＦ受信部８０２により所定帯域の信号に下向き変換される。
減算部８０３は、ＲＦ送信部８０２により所定の帯域に下向き変換された信号から帰還信号のレプリカを減算して帰還信号を除去する。
レプリカ生成部８０４は、下向き変換部８０８により所定帯域に下向き変換された信号および減算部８０３から出力された信号（帰還信号が除去された信号）に基づいて帰還信号のレプリカを生成して減算部８０３にフィードバックする。
逆チャネル推定部８０５は、前記減算部８０３から出力された信号に基づいて、主送信機と同一チャネル中継装置の伝送路によって引き起こされた雑音、多重経路信号および残存帰還信号（減算部８０３の減算によっても除去されなかった帰還信号）等によるチャネル歪曲を含む受信チャネルの逆（ｉｎｖｅｒｓｅ）を推定して第１フィルタタップ係数を生成する。
【００２２】
本発明によれば、減算部８０３およびレプリカ生成部８０４は帰還信号を除去するだけであるので、中継システムの時間遅延に影響を及ぼさない。
第１適応フィルタリング部８０６は、逆チャネル推定部８０５により生成された前記第１フィルタタップ係数ベクターを用いて次の［式１］によってフィルタリングを行うことにより減算部８０３から出力された信号のチャネル歪曲を補償する。
［式１］
2010534439.tif 000003
ここで、ε（ｎ）は減算部８０３の出力信号、ｚ（ｎ）は第１適応フィルタリング部８０６の出力信号、ｃｉは逆チャネル推定部８０５により推定された第１フィルタタップ係数ベクター
2010534439.tif 000004
の第ｉ成分、Ｎは第１フィルタタップ数である。
【００２３】
ＲＦ伝送部８０７は、第１適応フィルタリング部８０６から出力された信号をＲＦ信号に変換して送信アンテナ８０９を介して無線伝送する。
下向き変換部８０８は、ＲＦ伝送部８０７により変換されたＲＦ信号を前記所定帯域に下向き変換する。
【００２４】
図９は、図８の同一チャネル中継装置で行われる中継方法を示すフローチャートである。
図９に示したように、ＲＦ信号は、主送信機または他の中継装置から受信アンテナ８０１を介して受信され、ＲＦ受信部８０２で所定帯域の信号に下向き変換される（Ｓ９０１）。
次に、減算部８０３は、ＲＦ受信部８０２から出力された信号からレプリカ生成部８０４で生成された帰還信号のレプリカを減算することによってＲＦ受信部８０２の出力信号から帰還信号を除去する（Ｓ９０２）。
レプリカ生成部８０４は、下向き変換部８０８により前記所定帯域に下向き変換された信号および減算部８０３から出力された信号（帰還信号が１次的に除去された信号）に基づいて帰還信号のレプリカを生成して減算部８０３にフィードバックする（Ｓ９０３）。
【００２５】
逆チャネル推定部８０５は、減算部８０３から出力された信号に基づいて、主送信機と同一チャネル中継装置の伝送路によって引き起こされた雑音、多重経路信号および残存帰還信号などによるチャネル歪曲を含む受信チャネルの逆を推定して第１フィルタタップ係数ベクターを生成する（Ｓ９０４）。
第１適応フィルタリング部８０６は、逆チャネル推定部８０５により生成された前記第１フィルタタップ係数ベクターを用いて減算部８０３から出力された信号のチャネル歪曲を補償する（Ｓ９０５）。
ＲＦ伝送部８０７は、第１適応フィルタリング部８０６から出力された信号をＲＦ信号に変換して送信アンテナ８０９を介して無線伝送する（Ｓ９０６）。
下向き変換部８０８は、ＲＦ伝送部８０７により変換されたＲＦ信号を前記所定帯域に下向き変換する（Ｓ９０７）。
【００２６】
図１０は、図８の同一チャネル中継装置の詳細図である。
したがって、受信アンテナ１００１、ＲＦ受信部１００２、減算部１００３、レプリカ生成部１００４、逆チャネル推定部１００５、第１適応フィルタリング部１００６、ＲＦ伝送部１００７、下向き変換部１００８、および送信アンテナ１００９は各々、図８の受信アンテナ８０１、ＲＦ受信部８０２、減算部８０３、レプリカ生成部８０４、逆チャネル推定部８０５、第１適応フィルタリング部８０６、ＲＦ伝送部８０７、下向き変換部８０８、および送信アンテナ８０９に対応する。
さて、レプリカ生成部１００４は、下向き変換部１００８により前記所定帯域に下向き変換された信号および減算部１００３から出力された信号に基づいて後述する第２適応フィルタリング部１０１１で用いられる第２フィルタタップ係数ベクターを生成するフィルタ係数生成部１０１０、フィルタ係数生成部１０１０から生成されるフィルタタップ係数および下向き変換部１００８により前記所定帯域に下向き変換された信号を用いて帰還信号のレプリカを生成し、減算部１００３にフィードバックする第２適応フィルタリング部１０１１を備える。
【００２７】
フィルタ係数生成部１０１０は、ＬＭＳ（Ｌｅａｓｔ  Ｍｅａｎ  Ｓｑｕａｒｅ）アルゴリズムに基づいて次の［式２］により時間インデックスｎでの第２フィルタタップ係数ベクター
2010534439.tif 000005
を算出する。
［式２］
2010534439.tif 000006
ここで、
2010534439.tif 000007
は、時間インデックスｎでの下向き変換部１００８により前記所定の帯域に下向き変換された信号ベクター、ε（ｎ）は、時間インデックスｎでの減算部１００３の出力信号、
2010534439.tif 000008
は、時間インデックス（ｎ−１）での第２フィルタタップ係数ベクター、λは収束速度を決定する定数であり、Ｍは第２フィルタタップ数、Ｔは転置（ｔｒａｎｓｐｏｓｅ）、＊は複素共役（ｃｏｍｐｌｅｘ  ｃｏｎｊｕｇａｔｅ）である。
【００２８】
第２適応フィルタリング部１０１１は、フィルタ係数生成部１０１０で生成されたフィルタタップ係数ベクター
2010534439.tif 000009
に基づいて、下向き変換部１００８から出力される下向き変換された信号ベクター
2010534439.tif 000010
をフィルタリングして次の［式３］により帰還信号のレプリカ（ｆｂ（ｎ））を算出する。
［式３］
2010534439.tif 000011
【００２９】
減算部１００３は、次の［式４］により、ＲＦ受信部１００２の出力信号（ｒ（ｎ））から、第２適応フィルタリング部１０１１から算出された帰還信号のレプリカ（ｆｂ（ｎ））を減算することによって、送受信アンテナ間の隔離が不十分なことによって引き起こされた帰還信号を除去する。
［式４］
ε（ｎ＋１）＝ｒ（ｎ）−ｆｂ（ｎ）
【００３０】
図１１は、図１０の同一チャネル中継装置で行われる中継方法を詳細に示す詳細フローチャートである。
図１１に示したように、ＲＦ信号は、主送信機または他の中継装置から受信アンテナ１００１を介して受信され、ＲＦ受信部１００２で所定帯域の信号に下向き変換される（Ｓ１１０１）。
次に、減算部１００３は、ＲＦ受信部１００２から出力された信号から、第２適応フィルタリング部１０１１で生成された帰還信号のレプリカを減算することによって、ＲＦ受信部１００２の出力信号から帰還信号を除去する（Ｓ１１０２）。
レプリカ生成部１００４のフィルタ係数生成部１０１０は、下向き変換部１００８により前記所定帯域に下向き変換された信号および減算部１００３から出力された信号（帰還信号が除去されている）に基づいて第２適応フィルタリング部１０１１で用いられるフィルタタップ係数を生成し（Ｓ１１０３）、第２適応フィルタリング部１０１１は、フィルタ係数生成部１０１０から生成されるフィルタタップ係数を用いて下向き変換部１００８の出力信号をフィルタリングすることによって帰還信号のレプリカを生成して減算部１００３にフィードバックする（Ｓ１１０４）。
【００３１】
逆チャネル推定部１００５は、減算部１００３から出力された信号に基づいて、主送信機と同一チャネル中継装置の伝送路において引き起こされた雑音、多重経路信号および残存帰還信号などによるチャネル歪曲を含む受信チャネルの逆を推定してフィルタタップ係数を生成する（Ｓ１１０５）。
第１適応フィルタリング部１００６は、逆チャネル推定部１００５により生成された前記フィルタタップ係数を用いて減算部１００３から出力された信号のチャネル歪曲を補償する（Ｓ１１０６）。
ＲＦ伝送部１００７は、第１適応フィルタリング部１００６から出力された信号をＲＦ信号に変換して送信アンテナ１００９を介して無線伝送する（Ｓ１１０７）。
下向き変換部１００８はＲＦ伝送部１００７により変換されたＲＦ信号を所定帯域に下向き変換する（Ｓ１１０８）。
【００３２】
図１２は、図８に示された逆チャネル推定部８０５の詳細図である。
図１２に示したように、逆チャネル推定部８０５は、復調部１２０１、チャネル推定部１２０２および変換部１２０３で構成される。
復調部１２０１は、減算部８０３から出力された信号を周波数およびタイミング同期化過程を経て復調する。
チャネル推定部１２０２は、復調部１２０１により復調された信号に基づいて、主送信機と同一チャネル中継装置間の伝送路（ｃｈａｎｎｅｌ）において引き起こされた雑音、多重経路（ｍｕｌｔｉ−ｐａｔｈ）信号および残存帰還信号などを含む中継装置の受信チャネルのチャネル歪曲を推定する。
変換部１２０３は、チャネル推定部１２０２により推定された受信チャネルのチャネル歪曲から受信チャネルの逆を推定して第１適応フィルタリング部８０６で用いられるフィルタタップ係数を生成する。
【００３３】
一方、図１２に示された復調部１２０１、チャネル推定部１２０２、および変換部１２０３は、システムの標準により多様に構成可能である。
以下、図１３ないし図１５ではＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調技法を使用するＤＶＢ−Ｔ  ＤＴＶ標準での復調部１２０１、チャネル推定部１２０２、および変換部１２０３の一実施形態を説明する。
【００３４】
図１３は、図１２に示された復調部１２０１の構成図であって、ＤＶＢ−Ｔ  ＤＴＶ標準に適用されることができる一実施形態図である。
復調部１２０１は、保護区間除去部１３０１、直並列変換部１３０２（Ｓｅｒｉａｌ  ｔｏ  Ｐａｒａｌｌｅｌ  Ｃｏｎｖｅｒｔｅｒ、ＳＰＣ）および高速フーリエ変換部１３０３（Ｆａｓｔ  Ｆｏｕｒｉｅｒ  Ｔｒａｎｓｆｏｒｍ、ＦＦＴ）を備える。
保護区間除去部１３０１は、減算部１００３から出力された信号から保護区間（ｇｕａｒｄ  ｉｎｔｅｒｖａｌ）を除去し、直並列変換部１３０２は、保護区間除去部１３０１により保護区間が除去された信号を並列信号に変換し、高速フーリエ変換部１３０３は、直並列変換部１３０２により変換された並列信号を周波数領域に変換する。
【００３５】
図１４は、図１２に示されたチャネル推定部１２０２の構成図であって、ＤＶＢ−Ｔ  ＤＴＶ（Ｄｉｇｉｔａｌ＿Ｖｉｄｅｏ＿Ｂｒｏａｄｃａｓｔｉｎｇ−Ｔｅｒｒｅｓｔｒｉａｌ  Ｄｉｇｉｔａｌ＿ＴｅｌｅＶｉｓｉｏｎ）標準に適用できる一実施形態図である。
チャネル推定部１２０２は、パイロット抽出部１４０１、パイロット保存部１４０２およびチャネル歪曲推定部１４０３を備える。
パイロット抽出部１４０１は、復調部１２０１の出力信号からパイロット信号を抽出し、パイロット保存部１４０２は、あらかじめ保存された所定のパイロット信号を保存し、チャネル歪曲推定部１４０３は、パイロット抽出部１４０１により抽出されたパイロット信号およびパイロット保存部１４０２に保存されたパイロット信号を比較してチャネルの歪曲を推定する。
【００３６】
図１５は、図１２に示された変換部１２０３の構成図であって、ＤＶＢ−Ｔ  ＤＴＶ標準に適用されうる一実施形態図である。
変換部１２０３は、逆変換部１５０１と時間領域変換部１５０２を備える。
逆変換部１５０１は、チャネル推定部１２０１により推定されたチャネル歪曲情報を用いて受信チャネルの逆を生成し、時間領域変換部１５０２は、逆変換部１５０１から生成された受信チャネルの逆を時間領域の第１フィルタタップ係数に変換する。
【００３７】
図１６は、本発明による同一チャネル中継装置の他の実施形態の図である。
図１６は、基本的に図８と同一の構成を有する。ただし、送受信部において信号を基底帯域信号に変換する点が異なる。
したがって、減算部１６０６、レプリカ生成部１６０７、逆チャネル推定部１６０８、そして第１適応フィルタリング部１６０９は、各々、減算部８０３、レプリカ生成部８０４、逆チャネル推定部８０５、そして第１適応フィルタリング部８０６に対応する。
【００３８】
ＲＦ受信部１６０２は、主送信機または他の中継装置から受信アンテナ１６０１を介してＲＦ信号を受信する。
第１のＩＦ下向き変換部１６０３は、局部発振部１６１７から提供される基準周波数に基づいて前記受信ＲＦ信号をＩＦ信号に下向き変換し、第１アナログ−デジタル変換部１６０４は、第１のＩＦ下向き変換部１６０３から出力されたアナログＩＦ信号をデジタルＩＦ信号に変換し、第１基底帯域変換部１６０５は、第１アナログ−デジタル変換部１６０４の出力信号を基底帯域信号に変換する。
【００３９】
ＩＦ上向き変換部１６１０は、第１適応フィルタリング部１６０９から出力された信号をＩＦ信号に変換し、デジタル−アナログ変換部１６１１は、ＩＦ上向き変換部１６１０から出力されたデジタルＩＦ信号をアナログＩＦ信号に変換し、ＲＦ上向き変換部１６１２は、局部発振部１６１７から提供される基準周波数に基づいてデジタル−アナログ変換部１６１１の出力信号をＲＦ信号に上向き変換する。
ＲＦ上向き変換部１６１２により上向き変換されたＲＦ信号は、高電力増幅部１６１３により増幅される。
高電力増幅部１６１３により増幅されたＲＦ信号は、第２のＩＦ下向き変換部１６１４により中間周波数帯域（第１のＩＦ下向き変換部１６０３により下向き変換されたアナログＩＦ信号と同一の帯域）の信号に下向き変換されるが、この時、局部発振部１６１７から提供される基準周波数が用いられる。
【００４０】
第２アナログ−デジタル変換部１６１５は、第２のＩＦ下向き変換部１６１４の出力信号をデジタルＩＦ信号に変換し、第２基底帯域変換部１６１６は、第２アナログ−デジタル変換部１６１５の出力信号を基底帯域信号に変換し、レプリカ生成部１６０７は、第２基底帯域変換部１６１６により前記基底帯域に下向き変換された信号および減算部１６０６から出力された信号（帰還信号が除去された信号）に基づいて帰還信号のレプリカを生成して減算部１６０６にフィードバックする。
すなわち、レプリカ生成部１６０７のフィルタ係数生成部１６１８は、第２基底帯域変換部１６１６により前記基底帯域に下向き変換された信号および減算部１６０３から出力された信号（帰還信号が除去された信号）に基づいて第２適応フィルタリング部１６１９のフィルタタップ係数を生成し、第２適応フィルタリング部１６１９はフィルタ係数生成部１６１８から生成されたフィルタタップ係数を用いて第２基底帯域変換部１６１６により前記基底帯域に下向き変換された信号をフィルタリングすることによって帰還信号のレプリカを生成する。
局部発振部１６１７は、基準周波数を発生して第１、第２のＩＦ下向き変換部１６０３、１６１４とＲＦ上向き変換部１６１２に提供する。
【００４１】
本発明による帰還信号除去能力が向上した同一チャネル中継方法および装置は、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、ＤＶＢ（Ｄｉｇｉｔａｌ  Ｖｉｄｅｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、およびＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ）などの各種放送、並びに、Ｗｉｂｒｏ（Ｗｉｒｅｌｅｓｓ  Ｂｒｏａｄｂａｎｄ）およびＣＤＭＡ（Ｃｏｄｅ  Ｄｉｖｉｓｉｏｎ  Ｍｕｌｔｉｐｌｅ  Ａｃｃｅｓｓ）などの各種通信に適しているが、これらに限定されず、一般的な単一周波数網構成のために中継装置が必要な環境ではどこでも適用が可能である。
上述したような本発明の方法はプログラムで具現されてコンピュータで読み取り可能な形態で記録媒体（ＣＤ−ＲＯＭ、ＲＡＭ、ＲＯＭ、フロッピー（登録商標）ディスク、ハードディスク、光磁気ディスクなど）に保存可能である。このような過程は本発明が属する技術分野で通常の知識を有する者が容易に実施することができるため、これ以上詳細に説明しない。
以上で説明した本発明は、前述した実施形態および添付された図面によって限定されるものではなく、本発明の技術的思想に外れない範囲内で色々な置換、変形および変更できることは、本発明が属する技術分野で通常の知識を有する者にあって明白であろう。
【産業上の利用可能性】
【００４２】
本発明による同一チャネル中継装置の出力信号は、主送信機の出力信号と同一であり、主送信機の出力信号との時間遅延が小さく、伝送チャネル上での歪曲が補正されているので、限られた周波数資源の利用効率を増大できる。
【符号の説明】
【００４３】
１０１、２０１    主送信機
１０２〜１０５、２０２〜２０５    中継装置
３０１、４０１、５０１、６０１、８０１、１００１、１６０１    受信アンテナ
３０２、４０２、５０２、６０２、７０１、８０２、１００２、１６０２    ＲＦ受信部
３０３    ＲＦ帯域通過フィルタ
４０４    ＩＦ帯域通過フィルタ
３０４、４０６、５０６、６０９、１６１３    高電力増幅部
３０５、４０７、５０７、６１０、８０９、１００９    送信アンテナ
４０３、５０３、６０３    ＩＦ下向き変換部
４０５、５０５、６０８、１６１２    ＲＦ上向き変換部
４０８、５０８、６１１、１６１７    局部発振部（ＬＯ）
５０４    ＳＡＷ（Ｓｕｒｆａｃｅ  Ａｃｏｕｓｔｉｃ  Ｗａｖｅ、表面弾性波）フィルタ
６０４    復調部
６０５    等化部およびＦＥＣ復号部
６０６    ＦＥＣ符号化部
６０７    変調部
７０２、８０８、１００８    下向き変換部
７０３、８０５、１００５、１６０８    逆チャネル推定部
７０４    適応フィルタリング部
７０５    上向き変換部
７０６    ＲＦ送信部
８０３、１００３、１６０６    減算部
８０４、１００４，１６０７    レプリカ生成部
８０６、１００６、１６０９    第１適応フィルタリング部
８０７、１００７    ＲＦ伝送部
１０１０、１６１８    フィルタ係数生成部
１０１１、１６１９    第２適応フィルタリング部
１２０１    復調部
１２０２    チャネル推定部
１２０３    変換部
１３０１    保護区間除去部
１３０２    直並列変換部
１３０３    高速フーリエ変換部
１４０１    パイロット抽出部
１４０２    パイロット保存部
１４０３    チャネル歪曲推定部
１５０１    逆変換部
１５０２    時間領域変換部
１６０３、１６１４    第１、第２のＩＦ下向き変換部
１６０４、１６１５    第１、第２アナログ−デジタル変換部
１６０５、１６１６    第１、第２基底帯域変換部
１６１０    ＩＦ上向き変換部
１６１１    デジタル−アナログ変換部
【図１】
2010534439.tif 000028
【図２】
2010534439.tif 000029
【図３】
2010534439.tif 000030
【図４】
2010534439.tif 000031
【図５】
2010534439.tif 000032
【図６】
2010534439.tif 000033
【図７】
2010534439.tif 000034
【図８】
2010534439.tif 000035
【図９】
2010534439.tif 000036
【図１０】
2010534439.tif 000037
【図１１】
2010534439.tif 000038
【図１２】
2010534439.tif 000039
【図１３】
2010534439.tif 000040
【図１４】
2010534439.tif 000041
【図１５】
2010534439.tif 000042
【図１６】
2010534439.tif 000043
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
同一チャネル中継方法において、
ＲＦ信号を受信して所定帯域の信号に変換する受信ステップと、
前記受信ステップによって受信された信号から帰還信号のレプリカを減算する減算ステップと、
前記減算ステップから出力された信号に基づいて受信チャネルの逆（ｉｎｖｅｒｓｅ）を推定して第１フィルタタップ係数ベクターを生成する逆チャネル推定ステップと、
前記逆チャネル推定ステップによって生成された前記第１フィルタタップ係数ベクターを用いて、前記減算ステップから出力された信号のチャネル歪曲を補償する第１適応フィルタリングステップと、
前記第１適応フィルタリングステップによってチャネル歪曲が補償された信号をＲＦ信号に変換して無線伝送する伝送ステップと、
前記伝送ステップによって変換されたＲＦ信号を前記所定帯域に下向き変換する下向き変換ステップと、を含み、
前記レプリカを、前記下向き変換ステップによって変換された所定帯域信号および前記減算ステップから出力された信号に基づいて算出し、前記減算ステップにフィードバックすることを特徴とする同一チャネル中継方法。
【請求項２】
前記レプリカが、
時間インデックスｎで前記下向き変換ステップによって変換された所定帯域信号、時間インデックスｎで前記減算ステップによって減算された信号、および時間インデックス（ｎ−１）での第２フィルタタップ係数ベクターを用いて時間インデックスｎでの第２フィルタタップ係数ベクターを算出するフィルタ係数生成ステップと、
前記時間インデックスｎでの第２フィルタタップ係数ベクターおよび前記下向き変換ステップによって変換された所定帯域信号に基づいて前記レプリカを算出する第２適応フィルタリングステップと、
を含むことを特徴とする請求項１に記載の同一チャネル中継方法。
【請求項３】
前記フィルタ係数生成ステップが、ＬＭＳ（Ｌｅａｓｔ  Ｍｅａｎ  Ｓｑｕａｒｅ）アルゴリズムに基づいて前記第２フィルタタップ係数ベクターを算出することを特徴とする請求項２に記載の同一チャネル中継方法。
【請求項４】
前記フィルタ係数生成ステップが、下記［式２］により前記時間インデックスｎでの第２フィルタタップ係数ベクター
2010534439.tif 000044
を算出することを特徴とする請求項３に記載の同一チャネル中継方法。
［式２］
2010534439.tif 000045
ここで、
2010534439.tif 000046
は、時間インデックスｎで前記下向き変換ステップによって所定帯域に下向き変換された信号ベクター、ε（ｎ）は、時間インデックスｎで前記減算ステップから出力された信号、λは、収束速度を決定する定数、Ｍは第２フィルタタップ数であり、Ｔは転置（ｔｒａｎｓｐｏｓｅ）、＊は複素共役（ｃｏｍｐｌｅｘ  ｃｏｎｊｕｇａｔｅ）を意味する。
【請求項５】
前記第２適応フィルタリングステップが、下記［式３］により前記レプリカ（ｆｂ（ｎ））を算出することを特徴とする請求項４に記載の同一チャネル中継方法。
［式３］
2010534439.tif 000047
【請求項６】
前記減算ステップが、下記［式４］により前記受信ステップによって変換された所定帯域信号から前記レプリカを減算することを特徴とする請求項５に記載の同一チャネル中継方法。
［式４］
ε（ｎ＋１）＝ｒ（ｎ）−ｆｂ（ｎ）
ここで、ｒ（ｎ）は、時間インデックスｎで前記受信ステップによって変換された所定帯域信号、ε（ｎ＋１）は、時間インデックスｎ＋１で前記減算ステップから出力された信号である。
【請求項７】
前記逆チャネル推定ステップが、
前記減算ステップから出力された信号を復調する復調ステップと、
前記復調ステップによって復調された信号に基づいて、同一チャネル中継装置の受信チャネルのチャネル歪曲を推定するチャネル推定ステップと、
前記チャネル推定ステップによって推定されたチャネル歪曲を用いて受信チャネルの逆を計算し、前記計算された受信チャネルの逆を用いて第１フィルタタップ係数ベクターを生成する変換ステップと、
を含むことを特徴とする請求項１に記載の同一チャネル中継方法。
【請求項８】
前記復調ステップが、
前記減算ステップによって減算された信号の保護区間を除去する保護区間除去ステップと、
前記保護区間除去ステップによって保護区間が除去された信号を並列信号に変換する直並列変換ステップと、
前記直並列変換ステップによって変換された並列信号を周波数領域に変換する高速フーリエ変換ステップと、
を含むことを特徴とする請求項７に記載の同一チャネル中継方法。
【請求項９】
前記チャネル推定ステップが、
前記復調ステップによって復調された信号からパイロット信号を抽出するパイロット抽出ステップと、
あらかじめ定められた所定のパイロット信号を保存するパイロット保存ステップと、
前記パイロット抽出ステップから抽出されたパイロット信号および前記パイロット保存ステップに保存されたパイロット信号を比較して、前記チャネル歪曲を推定するチャネル歪曲推定ステップと、
を含むことを特徴とする請求項７に記載の同一チャネル中継方法。
【請求項１０】
前記変換ステップが、
前記チャネル推定ステップによって推定されたチャネル歪曲に基づいて受信チャネルの逆を生成する逆変換ステップと、
前記逆変換ステップによって生成された受信チャネルの逆を時間領域の第１フィルタタップ係数に変換する時間領域変換ステップと、
を含むことを特徴とする請求項７に記載の同一チャネル中継方法。
【請求項１１】
前記下向き変換ステップが、
前記伝送ステップによって変換されたＲＦ信号を中間周波数帯域の信号に下向き変換する第２中間周波数帯域下向き変換ステップと、
前記第２中間周波数帯域下向き変換ステップによって前記中間周波数帯域に変換された信号をデジタルＩＦ信号に変換する第２アナログ−デジタル変換ステップと、
前記第２アナログ−デジタル変換ステップによって変換されたデジタルＩＦ信号を前記所定帯域信号に変換する第２所定帯域変換ステップと、
を含むことを特徴とする請求項１に記載の同一チャネル中継方法。
【請求項１２】
前記受信ステップが、
ＲＦ信号を受信するＲＦ受信ステップと、
前記ＲＦ受信ステップによって受信されたＲＦ信号を中間周波数帯域に下向き変換する第１中間周波数下向き変換ステップと、
前記第１中間周波数下向き変換ステップによって変換された信号をデジタルＩＦ信号に変換する第１アナログ−デジタル変換ステップと、
前記第１アナログ−デジタル変換ステップによって変換されたデジタルＩＦ信号を所定帯域信号に変換する第１所定帯域変換ステップと、
を含むことを特徴とする請求項１記載の同一チャネル中継方法。
【請求項１３】
前記伝送ステップが、
前記第１適応フィルタリングステップによってチャネル歪曲が補償された信号をデジタルＩＦ信号に変換する中間周波数上向き変換ステップと、
前記中間周波数上向き変換ステップによって変換されたデジタルＩＦ信号をアナログＩＦ信号に変換するデジタル−アナログ変換ステップと、
前記デジタル−アナログ変換ステップによって変換された信号をＲＦ信号に上向き変換するＲＦ上向き変換ステップと、
前記ＲＦ上向き変換ステップによって変換されたＲＦ信号を増幅する高電力増幅ステップと、
を含むことを特徴とする請求項１記載の同一チャネル中継方法。
【請求項１４】
同一チャネル中継装置において、
ＲＦ信号を受信して所定帯域の信号に変換する受信手段と、
前記受信手段によって受信された信号から帰還信号のレプリカを減算する減算手段と、
前記減算手段から出力された信号に基づいて受信チャネルの逆（ｉｎｖｅｒｓｅ）を推定して第１フィルタタップ係数ベクターを生成する逆チャネル推定手段と、
前記逆チャネル推定手段によって生成された前記第１フィルタタップ係数ベクターを用いて、前記減算手段から出力された信号のチャネル歪曲を補償する第１適応フィルタリング手段と、
前記第１適応フィルタリング手段によってチャネル歪曲が補償された信号をＲＦ信号に変換して無線伝送する伝送手段と、
前記伝送手段によって変換されたＲＦ信号を前記所定帯域に下向き変換する下向き変換手段と、
前記下向き変換手段によって変換された所定帯域信号および前記減算手段から出力された信号に基づいて前記レプリカを算出し、前記減算手段にフィードバックするレプリカ生成手段と、
を備えることを特徴とする同一チャネル中継装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
前記目的を達成するための本発明は、同一チャネル中継装置において、ＲＦ信号を受信して所定帯域の信号に変換する受信手段と、前記受信手段によって受信された信号から帰還信号のレプリカを減算する減算手段と、前記減算手段から出力された信号に基づいて受信チャネルの逆を推定して第１フィルタタップ係数ベクターを生成する逆チャネル推定手段と、前記逆チャネル推定手段によって生成された前記第１フィルタタップ係数ベクターを用いて前記減算手段から出力された信号のチャネル歪曲を補償する第１適応フィルタリング手段と、前記第１適応フィルタリング手段によってチャネル歪曲が補償された信号をＲＦ信号に変換して無線伝送する伝送手段と、前記伝送手段によって変換されたＲＦ信号を前記所定帯域に下向き変換する下向き変換手段と、前記下向き変換手段によって変換された所定帯域信号および前記減算手段から出力された信号に基づいて前記レプリカを算出し、前記減算手段にフィードバックするレプリカ生成手段とを備える。
【国際調査報告】
2010534439.tif 000048
2010534439.tif 000049